(57)【要約】【課題】簡単な構成で、ピックアップレンズと記録媒体とのクリアランスを維持することを可能とするディスク再生装置を提供することを目的とする。【解決手段】記録媒体（２）から光を受光するピックアップレンズ（１０）と、ピックアップレンズを保持するレンズホルダ（２０）と、レンズホルダを移動可能に保持するベース（３０）と、記録媒体が回転することによって発生する空気流によってレンズホルダを記録媒体から離間させる方向の力を発生するレンズホルダに配置された離間機構（２１）を有することを特徴とするディスク再生装置（１）。【選択図】図２
2009176341.tif 000002
【特許請求の範囲】
【請求項１】
ディスクから光を受光するピックアップレンズと、
前記ピックアップレンズを保持するレンズホルダと、
前記レンズホルダを移動可能に保持するベースと、
ディスクが回転することによって発生する空気流によって、前記レンズホルダをディスクから離間させる方向の力を発生する前記レンズホルダに配置された離間機構と、
を有することを特徴とするディスク再生装置。
【請求項２】
前記離間機構は、凸部又は傾斜部である、請求項１に記載のディスク再生装置。
【請求項３】
前記離間機構は前記ベースに配置された開口部であって、前記開口部から進入した空気流が前記レンズホルダをディスクから離間させる方向の力を発生する、請求項１に記載のディスク再生装置。
【請求項４】
前記離間機構に空気流を集めるための空気流制御部が、前記レンズホルダに設けられている、請求項１に記載のディスク再生装置。
【請求項５】
前記離間機構に空気流を集めるための空気流制御部が、前記ベースに設けられている、請求項１に記載のディスク再生装置。
【発明の詳細な説明】
【技術分野】
【０００１】
本発明は、ディスク再生装置、特に、ディスクとの接触を回避するための機構を有するディスク再生装置に関する。
【背景技術】
【０００２】
ディスク用の再生装置において、情報の記録や再生を行うためのディスクの高密度化が進んでいる。このような高密度化されたディスクへの記録や再生を行うためには、レーザ光のスポット径をより小さくする必要がある。その為、ＢＤ（Blue-ray Disc）及びＨＤ−ＤＶＤ（High Definition Digital Versatile Disc)に対応した再生装置では、波長が４０５ｎｍの青色レーザと開口数（ＮＡ）が０．８５（ＢＤ用）又は０．６５（ＨＤ−ＤＶＤ用）といった対物レンズを利用している。また、このような高ＮＡ対物レンズを利用する場合には、対物レンズとディスク表面との作動距離が、非常に小さくなり（ＢＤでは約０．１ｍｍ、ＨＤ−ＤＶＤでは約１ｍｍ）、対物レンズがディスク表面と接触してディスク表面を傷つけてしまう可能性が高くなるという問題があった。
【０００３】
そこで、情報ディスク２に沿って、対物レンズを保持するヘッド３を移動させるアーム４に、情報ディスク２が回転することによって生じる気流を受けて浮遊力を生じるスライダ５をアーム４と情報ディスク２との間に設ける情報記録再生装置が知られている（例えば、特許文献１）。このような情報記録再生装置では、スライダ５によって生じる浮遊力によって、アーム４に対して情報ディスク２から離れる方向の力がかかり、それによってアーム４と接続されているヘッド３が、情報ディスク２と接触するのを防止する構成となっている。
【０００４】
【特許文献１】特開２００３−２５７０５８号公報（第５頁、図１）
【発明の開示】
【発明が解決しようとする課題】
【０００５】
しかしながら、情報記録媒体の回転によって生じる気流によって、ヘッドを移動させるアーム全体を浮遊させるような浮遊力を生じるスライダ自体が情報記録媒体と接触する可能性があり、結果的に情報記録媒体を傷つける危険性が増加してしまうと問題があった。さらに、情報記録媒体の回転によって生じる気流によって、ヘッドを移動させるアーム全体を浮遊させるような浮遊力を生じるスライダは、それ自体が大きな構造となり、コストアップや、再生装置の小型化を阻害する要因となるという問題があった。
【０００６】
そこで、本発明は、上記の問題点を解決することを可能とするディスク再生装置を提供することを目的とする。
【０００７】
また、本発明は、簡単な構成で、ピックアップレンズとディスクとのクリアランスを維持することを可能とするディスク再生装置を提供することを目的とする。
【課題を解決するための手段】
【０００８】
本発明に係るディスク再生装置は、ディスクから光を受光するピックアップレンズと、ピックアップレンズを保持するレンズホルダと、レンズホルダを移動可能に保持するベースと、ディスクが回転することによって発生する空気流によってレンズホルダをディスクから離間させる方向の力を発生するレンズホルダに配置された離間機構を有することを特徴とする。
【発明の効果】
【０００９】
本発明に係るにディスク再生装置によれば、ディスクが回転することによって発生する空気流によって、レンズホルダをディスクから離間させる方向の力を生じる離間機構を設けたので、ピックアップレンズとディスクとが接触する危険を防止することが可能となった。
【００１０】
また、本発明に係るにディスク再生装置によれば、軽量なレンズホルダにディスクから離間させる方向の力を生じる離間機構を設けたので、離間機構自体を大型化する必要がなく、実質的に装置全体を大型化することなく、ピックアップレンズとディスクとが接触する危険を防止することが可能となった。
【発明を実施するための最良の形態】
【００１１】
以下図面を参照して、本発明に係るディスク再生装置について説明する。但し、本発明の技術的範囲はそれらの実施の形態に限定されず、特許請求の範囲に記載された発明とその均等物に及ぶ点に留意されたい。
【００１２】
図１はディスク再生装置の概略構成を示す図である。
【００１３】
ディスク再生装置１は、ＣＤ、ＤＶＤ、ＢＤ、ＨＤ−ＤＶＤ、ＭＤ等のディスク２から光学情報を再生（及び／又は記録）するための各種要素を有する光学ヘッド３、光学ヘッド３を駆動モータ６によってディスク２の半径方向Ａに沿って移動させるための主軸としてのリードスクリュー（送りねじ）４及び副軸としてのガイド７、ディスク２を矢印Ｂの方向に回転させるための駆動モータ（不図示）等を有している。
【００１４】
光学ヘッド（ピックアップ）３は、図１に示す様に、リードスクリュー４と係合するための案内部５、ガイド７と係合するための係合部８、ディスク２から情報を再生（及び／又は記録）するためのピックアップレンズ１０等を有している。
【００１５】
図２は、図１に示す再生装置１に用いられる光学ヘッド３の概略構成を示す図である。図２（ａ）は光学ヘッド３の概略斜視図であり、図２（ｂ）は図２（ａ）におけるＸＸ´断面図である。
【００１６】
光ヘッド３は、ピックアップレンズ１０、ピックアップレンズ１０を保持するレンズホルダ２０、レンズホルダ２０をディスク２に対して垂直方向（フォーカシング方向）及びディスク２の回転方向に対して平行方向（トラッキング方向）に移動可能に保持するベース３０等を有している。なお、レンズホルダ２０は、例えば４本のワイヤ等によってベース３０と接続されることによって、移動可能に保持されているが、図３ではワイヤ等は省略して示している。
【００１７】
レンズホルダ２０の端部には、ディスク２と向き合う箇所に傾斜形状の凸部２１が、レンズホルダ２０をディスク２から離間させるための離間機構として設けられている。ディスク２が矢印Ｂ（図１参照）方向に回転することによって矢印Ｃ方向の空気流が発生し、レンズホルダ２０及びベース３０とディスク２との間の空間に流れ込む。流れ込んだ空気流は、凸部２１の傾斜形状に沿って矢印Ｄの方向にその流れが変化する。気流の流れの変化に対応して、レンズホルダ２０は、ディスク２から離間する矢印Ｅの方向の力（揚力）を受ける。
【００１８】
なお、レンズホルダ２０が受ける揚力は、凸部２０とディスク２との間隔が狭くなればなるほど、その間の空気流の関係で、強くなる。逆に、凸部２０とディスク２との間隔が広くなればなるほど、弱くなる。したがって、レンズホルダ２０に保持されたピックアップレンズ１０がディスク２に近づけば矢印Ｅの方向の揚力が強くなって、ピックアップレンズ１０はディスク２から離間するように移動されるので、ピックアップレンズ１０がディスク２と接触して、ディスク２を傷つけてしまう可能性が極めて低くなる。
【００１９】
レンズホルダ２０の重量はベース３０、リードスクリュー４及びガイド７等と比較して充分に軽いので、レンズホルダ２０は凸部２１が発生する揚力によってディスク２から容易に離間することができる。同様に、レンズホルダ２０を離間させるための揚力を得るために、非常に大きな凸部２１を設ける必要がないので、レンズホルダ２０自体のサイズが大きくなって、再生装置の小型化を阻害する要因とはならない。
【００２０】
また、上記の例では、凸部２１は、その断面が三角形となるような傾斜形状としたが、凸部２１の形状はこれに限定されず、その断面は、翼断面形状等であっても良い。なお、凸部２１の高さ（ａ）、レンズ１０の頂点とディスク２とのクリアランス（ｂ）及び凸部２１の頂点とディスク２とのクリアランス（ｃ）には、ａ＞０及びｂ＜ｃの関係が成立している。
図３は、他の光学ヘッド１００の概略構成を示した図である。図３（ａ）は光学ヘッド１００の概略斜視図であり、図３（ｂ）は図３（ａ）におけるＸＸ´断面図である。
【００２１】
光ヘッド１００は、再生装置１において光ヘッド３の代わりに用いることができ、ピックアップレンズ１０、ピックアップレンズ１０を保持するレンズホルダ１１０、レンズホルダ１１０をディスク２に対してフォーカシング方向及びトラッキング方向に移動可能に保持するベース３０等を有している。なお、レンズホルダ１１０は、例えば４本のワイヤ等によってベース３０と接続されることによって、移動可能に保持されているが、図３ではワイヤ等は省略して示している。
【００２２】
レンズホルダ１１０の表面は、レンズホルダ自体がレンズホルダ１１０をディスク２から離間させるための離間機構として機能するように、全体的に傾斜を有するように形成されている。ディスク２が矢印Ｂ（図１参照）方向に回転することによって矢印Ｃ方向の空気流が発生し、レンズホルダ１１０及びベース３０とディスク２との間の空間に流れ込む。流れ込んだ空気流は、レンズホルダ１１０の傾斜形状に沿って矢印Ｄの方向に流れが変化する。気流の流れの変化に対応して、レンズホルダ１１０は、ディスク２から離間する矢印Ｅの方向に力（揚力）を受ける。
【００２３】
なお、レンズホルダ１１０が受ける揚力は、レンズホルダ１１０とディスク２との間隔が狭くなればなるほど、その間の空気流の関係で、強くなる。逆に、レンズホルダ１１０とディスク２との間隔が広くなればなるほど、弱くなる。したがって、レンズホルダ１１０に保持されたピックアップレンズ１０がディスク２に近づけば矢印Ｅの方向の揚力が強くなって、ピックアップレンズ１０はディスク２から離間するように移動されるので、ピックアップレンズ１０がディスク２と接触して、ディスク２を傷つけてしまう可能性が極めて低くなる。
【００２４】
レンズホルダ１１０の重量はベース３０、リードスクリュー４及びガイド７等と比較して充分に軽いので、レンズホルダ１１０が発生する揚力によってディスク２から容易に離間することができる。同様に、レンズホルダ１１０を離間させるための揚力を得るために、レンズホルダ１１０自体を大きくする必要がないので、再生装置の小型化を阻害する要因とはならない。なお、レンズホルダ１１０の頂点の高さ（ｄ）、レンズ１０の頂点とディスク２とのクリアランス（ｅ）及びレンズホルダ１１０の頂点とディスク２とのクリアランス（ｆ）には、ｄ＞０及びｅ＜ｆの関係が成立している。
図４は、更に他の光学ヘッド１０１の概略構成を示した図である。図４（ａ）は光学ヘッド１０１の概略斜視図であり、図４（ｂ）は図４（ａ）におけるＸＸ´断面図である。
【００２５】
光ヘッド１０１は、再生装置１において光ヘッド３の代わりに用いることができ、ピックアップレンズ１０、ピックアップレンズ１０を保持するレンズホルダ１２０、レンズホルダ１２０をディスク２に対してフォーカシング方向及びトラッキング方向に移動可能に保持するベース３１等を有している。なお、レンズホルダ１２０は、例えば４本のワイヤ等によってベース３１と接続されることによって、移動可能に保持されているが、図４ではワイヤ等は省略して示している。
【００２６】
ベース３１の一部には、レンズホルダ１２０をディスク２から離間させるための離間機構として開口部３２が設けられている。ディスク２が矢印Ｂ（図１参照）方向に回転することによって矢印Ｃ方向の空気流が発生し、矢印Ｄに示す様に、ベース３１の開口部３２へ流れ込む。流れ込んだ空気流は、レンズホルダ１２０に当るので、レンズホルダ１２０はディスク２から離間する矢印Ｅの方向の力を受ける。
【００２７】
なお、開口部３２は図４（ｂ）に示すように、図中において左下に向かって下がるように形成されており、レンズホルダ１２０が記録媒体１２０へ近接しようとすると、空気流がレンズホルダ１２０に強く当るように設計されている。したがって、レンズホルダ１２０に保持されたピックアップレンズ１０がディスク２に近づけば矢印Ｅの方向の力が強くなって、ピックアップレンズ１０はディスク２から離間するように移動されるので、ピックアップレンズ１０がディスク２と接触して、ディスク２を傷つけてしまう可能性が極めて低くなる。
【００２８】
図５及び図６は、更に他の光学ヘッド１０２の概略構成を示した図である。図５は光学ヘッド１０２の概略斜視図であり、図６（ａ）は光学ヘッド１０２の上面図であり、図６（ｂ）は図５（ａ）におけるＸＸ´断面図である。
【００２９】
光ヘッド１０２は、再生装置１において光ヘッド３の代わりに用いることができ、ピックアップレンズ１０、ピックアップレンズ１０を保持するレンズホルダ１３０、レンズホルダ１３０をディスク２に対してフォーカシング方向及びトラッキング方向に移動可能に保持するベース３０等を有している。なお、レンズホルダ１３０は、例えば４本のワイヤ等によってベース３０と接続されることによって、移動可能に保持されているが、図５及び６ではワイヤ等は省略して示している。
【００３０】
レンズホルダ１３０は、空気流を制御するための第１壁部１３１及び第２壁部１３２と、レンズホルダ自体がレンズホルダ１３０をディスク２から離間させるための離間機構として機能するように全体的に傾斜を有するように形成された傾斜部１３３を有している。ディスク２が矢印Ｂ（図１参照）方向に回転することによって矢印Ｃ方向の空気流が発生し、レンズホルダ１３０とディスク２との間の空間に流れ込む。流れ込んだ空気流は、レンズホルダ１３０の第１壁部１３１及び第２壁部１３２との間であって、傾斜部１３３の傾斜形状に沿って矢印Ｄの方向に流れが変化する。気流の流れの変化に対応して、レンズホルダ１３０は、ディスク２から離間する矢印Ｅの方向に力（揚力）を受ける。ここで、特に、レンズホルダ１３０では、図３に示したレンズホルダ１１０と比較して第１及び第２壁部１３１及び１３２を有しているため、多くの空気流をレンズホルダ１３０とディスク２との間に導くことが可能となる。したがって、よりレンズホルダ１３０をディスク２から離間する方向に働く力（揚力）を強くすることが可能となる。
【００３１】
なお、レンズホルダ１３０が受ける揚力は、レンズホルダ１３０とディスク２との間隔が狭くなればなるほど、その間の空気流の関係で、強くなる。逆に、レンズホルダ１３０とディスク２との間隔が広くなればなるほど、弱くなる。したがって、レンズホルダ１３０に保持されたピックアップレンズ１０がディスク２に近づけば矢印Ｅの方向の揚力が強くなって、ピックアップレンズ１０はディスク２から離間するように移動されるので、ピックアップレンズ１０がディスク２と接触して、ディスク２を傷つけてしまう可能性が極めて低くなる。
【００３２】
レンズホルダ１３０の重量はベース３０、リードスクリュー４及びガイド７等と比較して充分に軽いので、レンズホルダ１３０が発生する揚力によってディスク２から容易に離間することができる。同様に、レンズホルダ１３０を離間させるための揚力を得るために、レンズホルダ１３０自体を大きくする必要がないので、再生装置の小型化を阻害する要因とはならない。
【００３３】
図７及び８は、更に他の光学ヘッド１０３の概略構成を示した図である。図７は光学ヘッド１０３の概略斜視図であり、図８（ａ）は光学ヘッド１０３の上面図であり、図８（ｂ）は図８（ａ）におけるＸＸ´断面図であり、図８（ｃ）は図８（ａ）におけるＹＹ´断面図である。
【００３４】
光ヘッド１０３は、再生装置１において光ヘッド３の代わりに用いることができ、ピックアップレンズ１０、ピックアップレンズ１０を保持するレンズホルダ２０、レンズホルダ２０をディスク２に対してフォーカシング方向及びトラッキング方向に移動可能に保持するベース３３等を有している。なお、レンズホルダ２０は、例えば４本のワイヤ等によってベース３３と接続されることによって、移動可能に保持されているが、図７及び８ではワイヤ等は省略して示している。
【００３５】
レンズホルダ２０は、図２に示したものと同様の形状を有しており、レンズホルダ２０をディスク２から離間させるための離間機構として機能するように、端部に傾斜形状を有する凸部２１を有している。さらに、ベース３３の端部には、空気流を制御するための第３壁部３４及び第４壁部３５を有している。
【００３６】
ディスク２が矢印Ｂ（図１参照）方向に回転することによって矢印Ｃ１方向の空気流が発生し、レンズホルダ２０及びベース３３とディスク２との間の空間に流れ込む。流れ込んだ空気流は、矢印Ｃ２に示すように、ベース３３の第３壁部３４及び第４壁部３５によって規制され、さらにレンズホルダ２０の凸部２１に沿って矢印Ｄの方向に流れが変化する。気流の流れの変化に対応して、レンズホルダ２０は、ディスク２から離間する矢印Ｅの方向に力（揚力）を受ける。ここで、特に、レンズホルダ２０は、図２に示した場合と比較して、ベース３３の第３壁部３４及び第４壁部３５を有しているため、多くの空気流をレンズホルダ２０とディスク２との間に導くことが可能となる。したがって、よりレンズホルダ２０をディスク２から離間する方向に働く力（揚力）を強くすることが可能となる。
【００３７】
なお、レンズホルダ２０が受ける揚力は、レンズホルダ２０とディスク２との間隔が狭くなればなるほど、その間の空気流の関係で、強くなる。逆に、レンズホルダ２０とディスク２との間隔が広くなればなるほど、弱くなる。したがって、レンズホルダ２０に保持されたピックアップレンズ１０がディスク２に近づけば矢印Ｅの方向の揚力が強くなって、ピックアップレンズ１０はディスク２から離間するように移動されるので、ピックアップレンズ１０がディスク２と接触して、ディスク２を傷つけてしまう可能性が極めて低くなる。
【００３８】
レンズホルダ２０の重量はベース３３、リードスクリュー４及びガイド７等と比較して充分に軽いので、レンズホルダ２０が発生する揚力によってディスク２から容易に離間することができる。同様に、レンズホルダ２０を離間させるための揚力を得るために、レンズホルダ２０自体を大きくする必要がないので、再生装置の小型化を阻害する要因とはならない。
【００３９】
図９及び１０は、更に他の光学ヘッド１０４の概略構成を示した図である。図９は光学ヘッド１０４の概略斜視図であり、図１０（ａ）は光学ヘッド１０４の上面図であり、図１０（ｂ）は図１０（ａ）におけるＸＸ´断面図であり、図１０（ｃ）は図１０（ａ）におけるＹＹ´断面図である。
【００４０】
光ヘッド１０４は、再生装置１において光ヘッド３の代わりに用いることができ、ピックアップレンズ１０、ピックアップレンズ１０を保持するレンズホルダ１３０、レンズホルダ１３０をディスク２に対してフォーカシング方向及びトラッキング方向に移動可能に保持するベース３６等を有している。なお、レンズホルダ１３０は、例えば４本のワイヤ等によってベース３６と接続されることによって、移動可能に保持されているが、図９及び１０ではワイヤ等は省略して示している。
【００４１】
レンズホルダ１３０は、図６に示したものと同様の形状を有しており、空気流を制御するための第１壁部１３１及び第２壁部１３２、レンズホルダ自体がレンズホルダ１３０をディスク２から離間させるための離間機構として機能するように全体的に傾斜を有するように形成された傾斜部１３３を有している。また、ベース３６は、図４に示したレンズホルダ１３０をディスク２から離間させるための離間機構として機能するように形成された開口部３２、図７に示した空気流を制御するための第３壁部３４及び第４壁部３５を有している。
【００４２】
ディスク２が矢印Ｂ（図１参照）方向に回転することによって矢印Ｃ１方向の空気流が発生する。発生した空気流は、矢印Ｃ２の方向に、ベース３６の開口部３２を介してレンズホルダ１３０とディスク２との間の空間に流れ込む。流れ込んだ空気流は、矢印Ｄに示すように、レンズホルダ１３０の第１壁部１３１及び第２壁部１３３に規制され、ベース３６の第３壁部３４及び第４壁部３５によって規制され、傾斜部１３３の傾斜形状に沿って矢印Ｄの方向に流れが変化する。気流の流れの変化に対応して、レンズホルダ１３０は、ディスク２から離間する矢印Ｅの方向に力（揚力）を受ける。ここで、特に、レンズホルダ１３０は第１壁部１３１及び第２壁部１３２を有し、ベース３６は第３壁部３４及び第４壁部３５を有しているため、多くの空気流をレンズホルダ１３０とディスク２との間に導くことが可能となる。したがって、よりレンズホルダ１３０をディスク２から離間する方向に働く力（揚力）を強くすることが可能となる。
【００４３】
レンズホルダ１３０の重量はベース３６、リードスクリュー４及びガイド７等と比較して充分に軽いので、レンズホルダ１３０が発生する揚力によってディスク２から容易に離間することができる。同様に、レンズホルダ１３０を離間させるための揚力を得るために、レンズホルダ１３０自体を大きくする必要がないので、再生装置の小型化を阻害する要因とはならない。
【００４４】
上述したように、レンズホルダが揚力を得るための方式として、レンズホルダ自体に凸部を有する場合（図２参照）、レンズホルダに傾斜部を有する場合（図３参照）、ベースに開口部を設ける場合（図４参照）について説明した。さらに、より空気流をレンズホルダと記録媒体間に集める方式として、レンズホルダ自体に壁部を有する場合（図５参照）、ベース部に壁部を有する場合（図７参照）、レンズホルダ自体に壁部を有し更にベースに壁部を有する場合（図９参照）について説明を行った。しかしながら、レンズホルダが揚力を得る方式やより空気流をレンズホルダと記録媒体間に集める方式として、前述したものを適宜組み合わせて、より良いアプリケーションを構成することが可能である。
【図面の簡単な説明】
【００４５】
【図１】ディスク再生装置の概略構成を示す図である。
【図２】図１に示す光学ヘッドの概略構成を示した図である。
【図３】他の光学ヘッドの概略構成を示した図である。
【図４】更に他の光学ヘッドの概略構成を示した図である。
【図５】更に他の光学ヘッドの概略構成を示した図である。
【図６】図５に示す光学ヘッドの上面図及び断面図である。
【図７】更に他の光学ヘッドの概略構成を示した図である。
【図８】図７に示す光学ヘッドの上面図及び断面図である。
【図９】更に他の光学ヘッドの概略構成を示した図である。
【図１０】図９に示す光学ヘッドの上面図及び断面図である。
【符号の説明】
【００４６】
１    ディスク再生装置
３、１００、１０１、１０２、１０３、１０４    光学ヘッド
１０    対物レンズ
２０、１１０、１２０、１３０    レンズホルダ
２１    凸部
３０、３１、３３、３６    ベース
３２    開口部
３４    第３壁部
３５    第４壁部
１３１    第１壁部
１３２    第２壁部
１３３    傾斜部
【図１】
2009176341.tif 000003
【図２】
2009176341.tif 000004
【図３】
2009176341.tif 000005
【図４】
2009176341.tif 000006
【図５】
2009176341.tif 000007
【図６】
2009176341.tif 000008
【図７】
2009176341.tif 000009
【図８】
2009176341.tif 000010
【図９】
2009176341.tif 000011
【図１０】
2009176341.tif 000012